Podtech/llm-jp-corpus-v4-ja_patent huggingface dataset:
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
着脱自在な記録媒体から、前記記録媒体のリードイン領域に記憶されている再生許可情報を読み取る情報読み出し部と、
情報の記録が可能な記憶部と、
前記再生許可情報に従って、前記記録媒体のメインデータ領域に記録されている情報である第一の情報、または前記記憶部に記録された第二の情報の再生処理を行うか否かを判断する、コントローラ部とを、備えており、
前記再生許可情報は、
前記第二の情報の再生処理を許可するかしないかを示す情報である、
ことを特徴とする情報処理装置。
【請求項２】
前記第一の情報および前記第二の情報は、所定のデータから分割された情報であり、
前記情報読み出し部は、
前記記録媒体から、情報の再生動作を規定する再生動作識別情報を読み出すことができ、
前記コントローラ部が前記再生動作識別情報を認識できるときには、前記コントローラ部は、
前記再生動作識別情報に従って、前記第一の情報と前記第二の情報とを合成して再生するか否かを判断し、
前記コントローラ部が前記再生動作識別情報を認識できないときには、前記コントローラ部は、
前記再生許可情報に従って、前記第一の情報の再生を行うか否かを判断する、
ことを特徴とする請求項１に記載の情報処理装置。
【請求項３】
前記所定のデータは、
映像情報であり、
前記第一の情報は、
前記映像情報より画質が低いデータ、もしくは、映像として再生不可能な映像データであり、
前記第二の情報は、
前記映像情報と前記第一の情報との差分データである、
ことを特徴とする請求項２に記載の情報処理装置。
【請求項４】
前記情報読み出し部は、
前記記録媒体から当該記録媒体の識別情報を読み出すことができ、
前記情報処理装置は、
前記第一の情報が記録されている第一のアドレスと、前記第二の情報が記録されている第二のアドレスとを、前記識別情報に関連付けて保持されている保持部を、さらに備えており、
前記コントローラ部は、
前記記録媒体の前記識別情報と、前記保持部に保持されている前記識別情報とが、一致するか否かを判断し、
前記コントローラ部が一致すると判断した場合には、前記情報読み出し部は、
当該一致している前記識別情報に関連付けられている前記第一のアドレスおよび前記第二のアドレスから、前記第一の情報および前記第二の情報を読み出し、
前記情報処理装置は、
前記第一のアドレスから読み出された前記第一の情報と、前記第二のアドレスから読み出された前記第二の情報とを、再生可能に合成するデータ合成部を、さらに備えている、
ことを特徴とする請求項２または請求項３に記載の情報処理装置。
【請求項５】
前記情報読み出し部は、
一の前記情報処理装置において記録された前記第一の情報の少なくとも一部が、他の前記情報処理装置によって上書きされた場合における、当該上書きされたアドレスを示す上書きアドレス情報を読み出すことができ、
再生処理の際に、前記コントローラ部は、
前記上書きアドレス情報に基づいて、前記第一の情報の前記上書きされた部分を除外した再生処理を制御する、
ことを特徴とする請求項２ないし請求項４のいずれかに記載の情報処理装置。
【手続補正２】
【補正対象書類名】明細書
【補正対象項目名】０００７
【補正方法】変更
【補正の内容】
【０００７】
上記の目的を達成するために、本発明に係る情報処理装置は、着脱自在な記録媒体から、前記記録媒体のリードイン領域に記憶されている再生許可情報を読み取る情報読み出し部と、情報の記録が可能な記憶部と、前記再生許可情報に従って、前記記録媒体のメインデータ領域に記録されている情報である第一の情報、または前記記憶部に記録された第二の情報の再生処理を行うか否かを判断する、コントローラ部とを、備えており、前記再生許可情報は、前記第二の情報の再生処理を許可するかしないかを示す情報である。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
基板に樹脂層を形成する樹脂層形成装置において、
樹脂が供給される第１の平坦面を有する第１のプレートと、
第２の平坦面を有し、前記第１の平坦面とともに樹脂層に対応する領域を形成する型部と、
前記型部の周囲を覆うチャンバと、
前記チャンバ内を真空とする減圧部と、
前記第１のプレートにおける前記第１の平坦面とは反対側に、前記チャンバ内とともに真空となる空間が形成されるように配設された第２のプレートと、
を有することを特徴とする樹脂層形成装置。
【請求項２】
前記チャンバ内とともに真空となる空間は、前記型部の周囲を覆うチャンバ内と、連通孔によって連通していることを特徴とする請求項１記載の樹脂層形成装置。
【請求項３】
前記樹脂は、電磁波の照射により硬化する材質であり、
前記第１のプレート及び前記第２のプレートは、電磁波を透過する材質により形成されていることを特徴とする請求項１又は請求項２記載の樹脂層形成装置。
【請求項４】
前記型部には、樹脂を押圧することにより樹脂層を形成する押圧部が設けられていることを特徴とする請求項１〜３のいずれか１項に記載の樹脂層形成装置。
【請求項５】
前記基板は、記録媒体用の基板であることを特徴とする請求項１〜４のいずれか１項に記載の樹脂層形成装置。
【手続補正２】
【補正対象書類名】明細書
【補正対象項目名】００１３
【補正方法】変更
【補正の内容】
【００１３】
請求項３の発明は、請求項１又は請求項２の樹脂層形成装置において、前記樹脂は、電磁波の照射により硬化する材質であり、前記第１のプレート及び前記第２のプレートは、電磁波を透過する材質により形成されていることを特徴とする。
【手続補正３】
【補正対象書類名】明細書
【補正対象項目名】００１４
【補正方法】変更
【補正の内容】
【００１４】
以上のような請求項３の発明では、硬化部の配置や電磁波の照射にとって邪魔となる型部側からではなく、第２のプレート側から電磁波を全面に照射できるので、樹脂を均一に硬化させることができる。
【手続補正４】
【補正対象書類名】明細書
【補正対象項目名】００１５
【補正方法】変更
【補正の内容】
【００１５】
請求項４の発明は、請求項１〜３のいずれか１項の樹脂層形成装置において、前記型部には、樹脂を押圧することにより樹脂層を形成する押圧部が設けられていることを特徴とする。
【手続補正５】
【補正対象書類名】明細書
【補正対象項目名】００１６
【補正方法】変更
【補正の内容】
【００１６】
以上のような請求項４の発明では、真空中での押圧部による押圧によって樹脂層を形成するため、供給する樹脂の量に多少の誤差があっても、樹脂が不足した場合の隙間の発生や、樹脂が過剰な場合のはみ出しの発生等を防止することができる。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
記録媒体用の基板に樹脂層を形成する樹脂層形成装置において、
第１の平坦面を有する土台部と、
前記第１の平坦面に樹脂を供給する樹脂供給部と、
前記第１の平坦面とともに、樹脂層に対応する領域を形成する型部と、
前記型部の周囲の空間を覆うチャンバと、
前記チャンバ内を真空とする減圧部と、
を有し、
前記土台部及び前記型部の少なくとも一方は、互いに接離する方向に移動可能に設けられ、
前記型部は、
少なくとも樹脂層の外周を規定する枠部と、
前記枠部内に移動可能に設けられ、真空にした前記チャンバ内において、前記第１の平坦面に供給された樹脂を、第２の平坦面により押圧する押圧部と、
前記第２の平坦面により押圧された樹脂を硬化させる硬化部と、
を有することを特徴とする樹脂層形成装置。
【請求項２】
前記樹脂は、電磁波の照射により硬化する材質であり、
前記土台部は、電磁波を透過する材質により形成され、
前記硬化部は、前記押圧部によって押圧された樹脂に、電磁波を照射する照射装置を有することを特徴とする請求項１記載の樹脂層形成装置。
【請求項３】
真空にした前記チャンバ内において、硬化後の樹脂に対して、前記第２の平坦面により基板を圧着可能となるように、硬化した樹脂上に接着剤を塗布した基板を載置する搬入部を有することを特徴とする請求項１又は請求項２記載の樹脂層形成装置。
【請求項４】
記録媒体用の基板に貼付される樹脂層を形成する樹脂層形成方法において、
第１の平坦面上に樹脂を供給し、
樹脂の周囲を真空とし、
少なくとも樹脂層の外周を規定する枠部を第１の平坦面に接触させ、
枠部内を移動可能な第２の平坦面によって、樹脂を押圧し、
押圧された樹脂を硬化させることを特徴とする樹脂層形成方法。
【請求項５】
前記樹脂は、電磁波の照射により硬化する材質であり、
前記土台部は、電磁波を透過する材質により形成され、
押圧された樹脂の硬化は、照射装置によって電磁波を照射することによって行うことを特徴とする請求項４記載の樹脂層形成方法。
【請求項６】
第２の平坦面によって押圧された樹脂を硬化させた後、
硬化した樹脂上に接着剤を塗布した基板を載置し、
基板の周囲を真空とし、
第２の平坦面によって基板を押圧することを特徴とする請求項４又は請求項５記載の樹脂層形成方法。
【手続補正２】
【補正対象書類名】明細書
【補正対象項目名】００１１
【補正方法】変更
【補正の内容】
【００１１】
上記のような目的を達成するため、請求項１の発明は、記録媒体用の基板に樹脂層を形成する樹脂層形成装置において、第１の平坦面を有する土台部と、前記第１の平坦面に樹脂を供給する樹脂供給部と、前記第１の平坦面とともに、樹脂層に対応する領域を形成する型部と、前記型部の周囲の空間を覆うチャンバと、前記チャンバ内を真空とする減圧部と、を有し、前記土台部及び前記型部の少なくとも一方は、互いに接離する方向に移動可能に設けられ、前記型部は、少なくとも樹脂層の外周を規定する枠部と、前記枠部内に移動可能に設けられ、真空にした前記チャンバ内において、前記第１の平坦面に供給された樹脂を、第２の平坦面により押圧する押圧部と、前記第２の平坦面により押圧された樹脂を硬化させる硬化部と、を有することを特徴とする。
【手続補正３】
【補正対象書類名】明細書
【補正対象項目名】００１２
【補正方法】変更
【補正の内容】
【００１２】
請求項４の発明は、記録媒体用の基板に貼付される樹脂層を形成する樹脂層形成方法において、第１の平坦面上に樹脂を供給し、樹脂の周囲を真空とし、少なくとも樹脂層の外周を規定する枠部を第１の平坦面に接触させ、枠部内を移動可能な第２の平坦面によって、樹脂を押圧し、押圧された樹脂を硬化させることを特徴とする。
【手続補正４】
【補正対象書類名】明細書
【補正対象項目名】００４７
【補正方法】変更
【補正の内容】
【００４７】
基板についても、その大きさ、形状、材質等は自由であり、現在又は将来において採用されるあらゆるものに適用可能である。従って、ＢＤやＨＶＤを初めとするあらゆる規格の記録媒体用のディスクに適用可能である。
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
入金する紙幣を受付けまたは出金する紙幣を放出する入出金口と、
紙幣を判別する紙幣判別部と、
入金され前記紙幣判別部で判別された紙幣を一時的に保管する一時保管庫と、
紙幣を収納する紙幣収納庫と、
前記紙幣収納庫を囲む金庫筐体と、
前記入出金口、前記紙幣判別部、または前記一時保管庫に紙幣を搬送する第一の紙幣搬送路と、
複数の前記紙幣収納庫に紙幣を搬送する第二の紙幣搬送路と、
を有する紙幣入出金機であって、
前記第一の紙幣搬送路と前記第二の紙幣搬送路との間で、紙幣を双方向に搬送する第一の双方向搬送路を前記金庫筐体に備え、
前記第二の紙幣搬送路は、紙幣を双方向に搬送する第二の双方向搬送路を備え、
前記第二の双方向搬送路は、前記複数の紙幣収納庫の紙幣の出入り口と一括して分離される
ことを特徴とする紙幣入出金機。
【請求項２】
請求項１に記載の紙幣入出金機であって、
前記金庫筐体は開閉可能な扉部を備え、
前記紙幣収納庫を着脱するために、前記第二の双方向搬送路は、前記扉部が開かれた後に、前記複数の紙幣収納庫に対して一括して分離される
ことを特徴とする紙幣入出金機。
【請求項３】
請求項１または２に記載の紙幣入出金機であって、
前記第一の双方向搬送路は、前記金庫筐体の一箇所にのみ配置される
ことを特徴とする紙幣入出金機。
【請求項４】
請求項１から３のいずれかに記載の紙幣入出金機であって、
前記一時保管庫は、回転ドラムを備え、
前記紙幣判別部で判別された紙幣を前記回転ドラムに巻き付けて保管し、所定の処理後、前記回転ドラムを逆方向に回転して巻き付けられた紙幣を前記第一の紙幣搬送路へ搬送する構成を有する
ことを特徴とする紙幣入出金機。
【請求項５】
請求項１から４のいずれかに記載の紙幣入出金機であって、
紙幣を出金する出金処理において、前記紙幣判別部が判別できなかった紙幣を保管するリジェクト庫を備え、
前記紙幣判別部と前記一時保管庫とを接続する前記第一の紙幣搬送路から分岐する位置に、前記リジェクト庫を配置する
ことを特徴とする紙幣入出金機。
【手続補正２】
【補正対象書類名】明細書
【補正対象項目名】０００９
【補正方法】変更
【補正の内容】
【０００９】
本発明は、上記目的を達成するために、（Ａ）入金する紙幣を受付けまたは出金する紙幣を放出する入出金口と、紙幣を判別する紙幣判別部と、入金され前記紙幣判別部で判別された紙幣を一時的に保管する一時保管庫と、紙幣を収納する紙幣収納庫と、前記紙幣収納庫を囲む金庫筐体と、前記入出金口、前記紙幣判別部、または前記一時保管庫に紙幣を搬送する第一の紙幣搬送路と、複数の前記紙幣収納庫に紙幣を搬送する第二の紙幣搬送路と、を有する紙幣入出金機であって、前記第一の紙幣搬送路と前記第二の紙幣搬送路との間で、紙幣を双方向に搬送する第一の双方向搬送路を前記金庫筐体に備え、前記第二の紙幣搬送路は、紙幣を双方向に搬送する第二の双方向搬送路を備え、前記第二の双方向搬送路は、前記複数の紙幣収納庫の紙幣の出入り口と一括して分離されることを特徴としている。
【手続補正３】
【補正対象書類名】明細書
【補正対象項目名】００１０
【補正方法】変更
【補正の内容】
【００１０】
また、（Ｂ）上記（Ａ）に記載の紙幣入出金機であって、前記金庫筐体は開閉可能な扉部を備え、前記紙幣収納庫を着脱するために、前記第二の双方向搬送路は、前記扉部が開かれた後に、前記複数の紙幣収納庫に対して一括して分離されることを特徴としている。
【手続補正４】
【補正対象書類名】明細書
【補正対象項目名】００１１
【補正方法】変更
【補正の内容】
【００１１】
また、（Ｃ）上記（Ａ）または（Ｂ）に記載の紙幣入出金機であって、前記第一の双方向搬送路は、前記金庫筐体の一箇所にのみ配置されることを特徴としている。
【手続補正５】
【補正対象書類名】明細書
【補正対象項目名】００１２
【補正方法】変更
【補正の内容】
【００１２】
また、（Ｄ）上記（Ａ）から（Ｃ）のいずれかに記載の紙幣入出金機であって、前記一時保管庫は、回転ドラムを備え、前記紙幣判別部で判別された紙幣を前記回転ドラムに巻き付けて保管し、所定の処理後、前記回転ドラムを逆方向に回転して巻き付けられた紙幣を前記第一の紙幣搬送路へ搬送する構成を有することを特徴としている。
【手続補正６】
【補正対象書類名】明細書
【補正対象項目名】００１３
【補正方法】変更
【補正の内容】
【００１３】
さらに、（Ｅ）上記（Ａ）から（Ｄ）のいずれかに記載の紙幣入出金機であって、紙幣を出金する出金処理において、前記紙幣判別部が判別できなかった紙幣を保管するリジェクト庫を備え、前記紙幣判別部と前記一時保管庫とを接続する前記第一の紙幣搬送路から分岐する位置に、前記リジェクト庫を配置することを特徴としている。
【手続補正７】
【補正対象書類名】明細書
【補正対象項目名】００１４
【補正方法】削除
【補正の内容】
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
カートリッジに収納されたカバー付トレイに載置された情報記録媒体に対して情報の記録及び／又は再生を行う情報記録再生装置であって、
前記カートリッジから前記カバー付トレイを取り出し、かつ、前記カバー付トレイを前記カートリッジに収納する、トレイローディング手段と、
前記カバー付トレイに載置された前記情報記録媒体に対して、情報の記録及び／又は再生を行う記録再生部と、を備え、
前記トレイローディング手段は、
前記カートリッジと前記記録再生部における記録再生動作位置との間を、前記カバー付トレイを移動させるトレイ移動手段と、
前記トレイ移動手段によるカバー付トレイの移動に対応して、前記カバー付トレイのカバーをカバーガイド部にガイドし、前記情報記録媒体を露出させる媒体露出手段と、を有することを特徴とする情報記録再生装置。
【請求項２】
前記媒体露出手段は、前記カバー付トレイのカバーを剥離して前記カバーガイド部にガイドすることを特徴とする請求項１に記載の情報記録再生装置。
【請求項３】
前記カバーが前記カバーガイド部にガイドされている状態において、前記カバーガイド部のガイド面と前記カバーとの接触部分の面積が、前記カバーガイド部の前記ガイド面と前記カバーとが重なる部分の面積よりも小さいことを特徴とする情報記録再生装置。
【請求項４】
前記カバーガイド部のガイド面は凹凸形状をなしていることを特徴とする請求項３に記載の情報記録再生装置。
【請求項５】
前記カバーガイド部のガイド面は櫛型形状をなしていることを特徴とする請求項３に記載の情報記録再生装置。
【請求項６】
前記媒体露出手段は、前記カバーの開口端を前記カバー付トレイから持ち上げるカバー持ち上げ手段を有し、
前記カバーガイド部が、前記カバー付トレイの移動に従ってカバー持ち上げ手段によって持ち上げられたカバーの下に入り込み、前記カバー付トレイの前記記録再生動作位置への移動に伴って前記カバーを剥離して前記情報記録媒体を露出させることを特徴とする請求項２乃至５の何れか１項に記載の情報記録再生装置。
【請求項７】
カートリッジに収納された情報記録媒体に対して情報の記録及び／又は再生を行う情報記録再生装置であって、
前記情報記録媒体は、前記カートリッジ内でカバーに覆われて収納されており、
前記カートリッジから前記カバーと共に前記情報記録媒体を取り出し、かつ、前記カバーと共に前記情報記録媒体を前記カートリッジに収納する、媒体ローディング手段と、
前記情報記録媒体に対して、情報の記録及び／又は再生を行う記録再生部と、を備え、
前記媒体ローディング手段は、
前記カートリッジと前記記録再生部における記録再生動作位置との間を、前記カバー及び前記情報記録媒体を移動させる媒体移動手段と、
前記媒体移動手段による前記カバー及び前記情報記録媒体の移動に対応して、前記カバーをカバーガイド部にガイドし、前記情報記録媒体を露出させる媒体露出手段と、を有することを特徴とする情報記録再生装置。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
ジョブが実行される装置であるジョブ実行装置にて実行されるジョブに関する情報を管理するジョブ管理装置と通信可能であり、前記ジョブ管理装置において記録される、前記ジョブ管理装置にて実行されたプログラムの実行結果である第１の実行結果を検証する情報処理装置であって、
前記ジョブに関する情報を変更するためのコマンドを前記ジョブ管理装置に送信する変更コマンド送信部と、
前記コマンドに応じて前記ジョブ管理装置にて実行される前記プログラムの実行結果である第２の実行結果を記憶する第２実行結果記憶部と、
前記ジョブ管理装置から前記第１の実行結果を受信する第１実行結果受信部と、
前記第１の実行結果と前記第２の実行結果とを比較することにより、前記第２実行結果記憶部に記憶されている前記第２の実行結果に一致する実行結果が前記第１の実行結果に含まれているかどうかを判断する判断部と、
を備えることを特徴とする情報処理装置。
【請求項２】
請求項１に記載の情報処理装置であって、
前記変更コマンド送信部は、前記ジョブ管理装置において前記プログラムを実行する所定のユーザを特定するユーザ特定情報を付帯させて前記コマンドを前記ジョブ管理装置に送信し、
前記第１の実行結果には、前記プログラムを実行したユーザを示すユーザ名が付帯されており、
前記ジョブ管理装置から送信される前記第１の実行結果のうち、前記所定のユーザを示す前記ユーザ名が付帯されているものを前記第２の実行結果として受信する第２実行結果受信部を備えること、
を特徴とする情報処理装置。
【請求項３】
請求項１に記載の情報処理装置であって、
前記ジョブに関する情報を変更するための前記コマンドに応じて前記ジョブ管理装置において前記プログラムが実行された場合に生成される前記第１の実行結果にマッチするパターンを記憶するパターン記憶部と、
前記ジョブ管理装置から受信した前記第１の実行結果のうち、前記第２の実行結果のいずれにも一致しないものを選出し、選出した前記第１の実行結果が前記パターンにマッチするかどうかを判断する指示外実行判断部と、
を備えることを特徴とする情報処理装置。
【請求項４】
請求項１に記載の情報処理装置であって、
前記ジョブ管理装置から送信される、前記コマンドに応じた前記プログラムが実行されることにより変更された前記ジョブに関する情報を受信するジョブ関連情報受信部と、
受信した前記ジョブに関する情報の履歴を記憶する変更履歴記憶部と、
を備えることを特徴とする情報処理装置。
【請求項５】
ジョブが実行される装置であるジョブ実行装置にて実行されるジョブに関する情報を管理するジョブ管理装置と通信可能であり、前記ジョブ管理装置において記録される、前記ジョブ管理装置にて実行されたプログラムの実行結果である第１の実行結果を検証する情報処理装置における情報処理方法であって、
前記ジョブに関する情報を変更するためのコマンドを前記ジョブ管理装置に送信する変更コマンド送信ステップと、
前記コマンドに応じて前記ジョブ管理装置にて実行される前記プログラムの実行結果である第２の実行結果を記憶する第２実行結果記憶ステップと、
前記ジョブ管理装置から前記第１の実行結果を受信する第１実行結果受信ステップと、
前記第１の実行結果と前記第２の実行結果とを比較することにより、前記第２実行結果記憶ステップに記憶されている前記第２の実行結果に一致する実行結果が前記第１の実行結果に含まれているかどうかを判断する判断ステップと、
を有することを特徴とする情報処理方法。
【手続補正２】
【補正対象書類名】明細書
【補正対象項目名】０００８
【補正方法】変更
【補正の内容】
【０００８】
上記課題を解決するための本発明の主たる発明は、ジョブが実行される装置であるジョブ実行装置にて実行されるジョブに関する情報を管理するジョブ管理装置と通信可能であり、前記ジョブ管理装置において記録される、前記ジョブ管理装置にて実行されたプログラムの実行結果である第１の実行結果を検証する情報処理装置であって、前記ジョブに関する情報を変更するためのコマンドを前記ジョブ管理装置に送信する変更コマンド送信部と、前記コマンドに応じて前記ジョブ管理装置にて実行される前記プログラムの実行結果である第２の実行結果を記憶する第２実行結果記憶部と、前記ジョブ管理装置から前記第１の実行結果を受信する第１実行結果受信部と、前記第１の実行結果と前記第２の実行結果とを比較することにより、前記第２実行結果記憶部に記憶されている前記第２の実行結果に一致する実行結果が前記第１の実行結果に含まれているかどうかを判断する判断部と、を備えることとする。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
操作部への操作入力に応じて表示部に地図情報を表示させ、上記表示部に表示させた地図情報に基づき、当該地図情報に関連付けられたコンテンツのリストを取得させる制御部
を具える情報処理装置。
【請求項２】
上記制御部は、
取得した上記リストに基づいて、通信部を制御してコンテンツを外部機器から取得させる
請求項１に記載の情報処理装置。
【請求項３】
上記制御部は、
受信した上記コンテンツを再生部に再生させる
請求項２に記載の情報処理装置。
【請求項４】
上記制御部は、
上記コンテンツの一部分を、上記再生部に再生させる
請求項３に記載の情報処理装置。
【請求項５】
上記リストは、
上記コンテンツのランキングを示すリストである
請求項１に記載の情報処理装置。
【請求項６】
上記制御部は、
上記表示部に表示させた地図情報により示される地域に関連付けられたコンテンツのリストを取得させる
請求項１に記載の情報処理装置。
【請求項７】
上記制御部は、
上記表示部に表示させた地図情報により示される地域のうち全体が表示されている地域に関連付けられたコンテンツのリストを取得させる
請求項６に記載の情報処理装置。
【請求項８】
上記制御部は、
上記表示部に表示させた地図情報から所定地域を選択する操作が行われたときに、選択された所定地域に関連付けられたコンテンツのリストを取得させる
請求項６に記載の情報処理装置。
【請求項９】
上記制御部は、
上記リストをプレイリストとして、当該リストにしたがって、受信した上記コンテンツを上記再生部に再生させる
請求項３に記載の情報処理装置。
【請求項１０】
上記制御部は、
上記表示部に表示させた地図情報を変更する操作が入力されたときに、当該操作に応じて上記表示部に表示させる地図情報を変更し、さらに当該操作が終了してから所定時間経過後に、変更した地図情報に関連付けられたコンテンツのリストを新たに取得させる
請求項１に記載の情報処理装置。
【請求項１１】
上記制御部は、
上記表示部に表示させた地図情報を変更する操作が行われているときには、取得済みの上記リストに基づいて、通信部にコンテンツを取得させ、再生部にコンテンツを再生させる
請求項１０に記載の情報処理装置。
【請求項１２】
上記制御部は、
コンテンツのリストの取得を禁止する設定操作が入力されたときは、上記表示部に表示させる地図情報を変更しても新たなコンテンツのリストを通信部に取得させない
請求項１０に記載の情報処理装置。
【請求項１３】
上記制御部は、
リストの取得条件を設定する操作が入力されたときは、上記表示部に表示させた地図情報に関連付けられ、且つ、上記取得条件に該当するコンテンツのリストを取得させる
請求項１に記載の情報処理装置。
【請求項１４】
操作部への操作入力に応じて表示部に地図情報を表示させ、上記表示部に表示させた地図情報に基づき、当該地図情報に関連付けられたコンテンツのリストを取得させる
情報処理方法。
【請求項１５】
操作部への操作入力に応じて表示部に地図情報を表示させ、上記表示部に表示させた地図情報に基づき、当該地図情報に関連付けられたコンテンツのリストを取得させる処理をコンピュータに実行させるためのプログラムが記録されたコンピュータが読み取り可能な記録媒体。
【手続補正２】
【補正対象書類名】明細書
【補正対象項目名】発明の名称
【補正方法】変更
【補正の内容】
【発明の名称】情報処理装置、情報処理方法及び記録媒体
【手続補正３】
【補正対象書類名】明細書
【補正対象項目名】０００１
【補正方法】変更
【補正の内容】
【０００１】
本発明は、情報処理装置、情報処理方法及び記録媒体に関し、例えば、コンテンツに関連する情報を扱う情報処理装置に適用して好適なものである。
【手続補正４】
【補正対象書類名】明細書
【補正対象項目名】０００６
【補正方法】変更
【補正の内容】
【０００６】
本発明は以上の点を考慮してなされたもので、従来と比して一段と容易に、地域に関連するコンテンツをユーザに提供し得る情報処理装置、情報処理方法及び記録媒体を提案しようとするものである。
【手続補正５】
【補正対象書類名】明細書
【補正対象項目名】０００７
【補正方法】変更
【補正の内容】
【０００７】
かかる課題を解決するため本発明においては、操作部への操作入力に応じて表示部に地図情報を表示させ、表示部に表示させた地図情報に基づき、当該地図情報に関連付けられたコンテンツのリストを取得させるようにした。
【手続補正６】
【補正対象書類名】明細書
【補正対象項目名】０００９
【補正方法】変更
【補正の内容】
【０００９】
本発明によれば、操作部への操作入力に応じて表示部に地図情報を表示させ、表示部に表示させた地図情報に基づき、当該地図情報に関連付けられたコンテンツのリストを取得させるようにしたことにより、地図情報を表示させる操作をユーザに行わせるだけで、表示させた地図情報に関連付けられたコンテンツのリストを取得することができ、結果として、わざわざ所望の地域に移動することなく、取得したリストに基づいて、従来と比して一段と容易に、地図情報により示される地域に関連するコンテンツをユーザに提供し得る情報処理装置、情報処理方法及び記録媒体を実現できる。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
外部から情報が入力される信号伝達経路と、
前記信号伝達経路に現れた情報をトレースメモリに格納するトレース制御を行うトレース制御部とを有するトレース装置であって、
前記トレース制御部は、トレース制御中、前記信号伝達経路に現れた情報を逐次前記トレースメモリに格納する動作を行い、設定された複数のトレースポイントに対し、当該トレースポイントを含み前記トレースポイントの前後の所定の複数バスサイクルの前記信号伝達経路の情報を前記トレースメモリに格納し、他の前記信号伝達経路の情報による書き換えを抑制して前記トレースメモリに保持する動作モードを有するトレース装置。
【請求項２】
前記信号伝達経路は、プログラムを実行するデータプロセッサが入出力する情報を受けるバスである請求項１記載のトレース装置。
【請求項３】
前記トレース制御部は、前記信号伝達経路に現れた情報を逐次格納する動作が排他的に行われる複数のバッファメモリを有し、前記トレースポイントを含む所定の複数バスサイクルの前記信号伝達経路の情報を一のバッファメモリからトレースメモリの所定領域に転送開始するとき、前記信号伝達経路に現れた情報の格納先を前記一のバッファメモリから他のバッファメモリに切り換える制御を行う請求項１又は２記載のトレース装置。
【請求項４】
前記トレース制御部は、複数の前記トレースポイントがプログラマブルに設定可能にされるトレース条件設定部を有する請求項１乃至３の何れか１項に記載のトレース装置。
【請求項５】
前記トレース制御部は、前記トレースポイントを含む所定の複数バスサイクルのサイクル数がプログラマブルに設定可能にされる第１レジスタを有する請求工１乃至４の何れか１項に記載のトレース装置。
【請求項６】
前記トレースポイントを含む所定の複数バスサイクルの前記信号伝達経路の情報は、前記トレースポイントの前後の第１情報、前記トレースポイントの以前の第２情報又は前記トレースポイントの以降の第３情報である請求項１乃至５の何れか１項に記載のトレース装置。
【請求項７】
前記トレースポイントを含む所定の複数バスサイクルの前記信号伝達経路の情報として、前記トレースポイントの前後の第１情報、前記トレースポイントの以前の第２情報又は前記トレースポイントの以降の第３情報を選択的に指定する第２レジスタを更に有する請求項６記載のトレース装置。
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
現実空間画像と仮想空間画像とを合成して提示する複合現実感提示装置であって、
観察者の視点と、現実空間中の現実空間物体との相対的な位置姿勢関係を示す位置姿勢情報を取得する位置姿勢情報取得手段と
前記位置姿勢情報取得手段で取得した位置姿勢情報に基づいて、仮想空間画像を生成して、メモリ上に描画する描画手段と、
前記現実空間物体の現実空間画像を取得する取得手段と、
前記取得手段で取得した現実空間画像を、前記仮想空間画像が描画されている前記メモリ上に描画することで、該現実空間画像と該仮想空間画像とを合成する合成手段と、
前記合成手段によって得られる合成画像を出力する出力手段と
を備えることを特徴とする複合現実感提示装置。
【請求項２】
前記仮想空間画像の奥行き情報を記憶する奥行きバッファを更に備え、
前記合成手段は、前記奥行きバッファに記憶されている奥行き情報を利用して、前記メモリ上の前記仮想空間画像が描画されていない部分に前記現実空間画像を描画することで、該現実空間画像と該仮想空間画像とを合成する
ことを特徴とする請求項１に記載の複合現実感提示装置。
【請求項３】
前記仮想空間画像への画像の上書きの可否を制御するための制御情報を記憶するステンシルバッファを更に備え、
前記合成手段は、前記ステンシルバッファに記憶されている制御情報を利用して、前記メモリ上の前記仮想空間画像が前記現実空間画像で上書きされないように該メモリ上に描画することで、該現実空間画像と該仮想空間画像とを合成する
ことを特徴とする請求項１に記載の複合現実感提示装置。
【請求項４】
前記合成手段は、前記現実空間画像と前記仮想空間画像とをアルファブレンド合成する
ことを特徴とする請求項１に記載の複合現実感提示装置。
【請求項５】
前記描画手段による前記仮想空間画像の描画に利用する位置姿勢情報を、前記位置姿勢情報取得手段で取得した位置姿勢情報に基づいて予測する予測手段を更に備える
ことを特徴とする請求項１に記載の複合現実感提示装置。
【請求項６】
現実空間画像と仮想空間画像とを合成して提示する複合現実感提示装置の制御方法であって、
位置姿勢情報取得手段が、観察者の視点と、現実空間中の現実空間物体との相対的な位置姿勢関係を示す位置姿勢情報を取得する位置姿勢情報取得工程と
描画手段が、前記位置姿勢情報取得工程で取得した位置姿勢情報に基づいて、仮想空間画像を生成して、メモリ上に描画する描画工程と、
取得手段が、前記現実空間物体の現実空間画像を取得する取得工程と、
合成手段が、前記取得工程で取得した現実空間画像を、前記仮想空間画像が描画されている前記メモリ上に描画することで、該現実空間画像と該仮想空間画像とを合成する合成工程と、
出力手段が、前記合成工程によって得られる合成画像を出力する出力工程と
を備えることを特徴とする複合現実感提示装置の制御方法。
【請求項７】
現実空間画像と仮想空間画像とを合成して提示する複合現実感提示装置の制御をコンピュータに機能させるためのコンピュータプログラムであって、
前記コンピュータを、
観察者の視点と、現実空間中の現実空間物体との相対的な位置姿勢関係を示す位置姿勢情報を取得する位置姿勢情報取得手段と
前記位置姿勢情報取得手段で取得した位置姿勢情報に基づいて、仮想空間画像を生成して、メモリ上に描画する描画手段と、
前記現実空間物体の現実空間画像を取得する取得手段と、
前記取得手段で取得した現実空間画像を、前記仮想空間画像が描画されている前記メモリ上に描画することで、該現実空間画像と該仮想空間画像とを合成する合成手段と、
前記合成手段によって得られる合成画像を出力する出力手段と
して機能させることを特徴とするコンピュータプログラム。
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
データベースを管理し、該データベースへのアクセスの履歴を監査証跡として管理するデータベース管理装置にアクセスする記憶装置を備えた情報処理装置における監査証跡管理方法において、
前記情報処理装置が、
利用者から送られた該利用者の利用者識別情報を含む要求の入力に応じて、当該要求を解析して該利用者識別情報を取得し、該解析結果に基づいて該要求を処理するプログラムを実行し、該実行したプログラムのプログラム識別情報を取得して該利用者識別情報と対応付けて該プログラム識別情報を前記データベースに対するアクセス情報として前記記憶装置に格納し、前記データベースへアクセスする場合は前記データベース管理装置へ前記アクセス情報を含む問合せ要求を生成して該データベース管理装置へ送信することを特徴とする監査証跡管理方法。
【請求項２】
前記情報処理装置が、
入力された前記要求を特定するリクエスト識別情報を生成し、前記アクセス情報に前記リクエスト識別情報を更に含めて前記問い合わせ要求を生成し、前記データベース管理装置に送信することを特徴とする請求項１記載の監査証跡管理方法。
【請求項３】
前記情報処理装置は、前記利用者を認証する認証機能を有し、
前記情報処理装置が、
前記要求の入力に応じて、前記認証機能により前記要求の利用者認証を行い、該利用者認証の際に取得した利用者の識別情報を前記利用者識別情報に設定することを特徴とする請求項１又は２に記載の監査証跡管理方法。
【請求項４】
前記情報処理装置が、
前記プログラムの実行において、他のプログラムのプロセスまたはスレッドの呼び出しを行う際、前記プロセス又はスレッドを呼び出すメッセージに、前記利用者識別情報を含むスレッド情報を埋め込むことを特徴とする請求項１から３の何れか一項に記載の監査証跡管理方法。
【請求項５】
入力された前記要求は、前記利用者が設定した任意情報を更に含み、
前記情報処理装置が、
前記プログラム識別情報に前記任意情報を更に対応付けて前記記憶装置に格納することを特徴とする請求項１から４の何れか一項に記載の監査証跡管理方法。
【請求項６】
データベースを管理し、該データベースへのアクセスの履歴を監査証跡として管理するデータベース管理装置にアクセスする記憶装置を備えた情報処理装置において、
利用者から送られた該利用者の利用者識別情報を含む要求の入力に応じて、当該要求を解析して該利用者識別情報を取得し、該解析結果に基づいて該要求を処理するプログラムを実行し、該実行したプログラムのプログラム識別情報を取得して該利用者識別情報と対応付けて該プログラム識別情報を前記データベースに対するアクセス情報として前記記憶装置に格納し、前記データベースへアクセスする場合は前記データベース管理装置へ前記アクセス情報を含む問合せ要求を生成して前記データベース管理装置へ送信することを特徴とする情報処理装置。
【請求項７】
データベースを管理し、該データベースへのアクセスの履歴を監査証跡として管理するデータベース管理装置にアクセスする記憶装置を備えた情報処理装置に、
利用者から送られた該利用者の利用者識別情報を含む要求の入力に応じて、当該要求を解析して該利用者識別情報を取得し、該解析結果に基づいて該要求を処理するプログラムを実行し、該実行したプログラムのプログラム識別情報を取得して該利用者識別情報と対応付けて該プログラム識別情報を前記データベースアクセス情報として前記記憶装置に格納し、前記データベースへアクセスする場合は前記データベースを管理する該データベース管理装置へ前記データベースアクセス情報を含む問合せ要求を生成して該データベース管理装置へ送信する機能を実現させることを特徴とする監査証跡管理プログラム。
【手続補正２】
【補正対象書類名】明細書
【補正対象項目名】発明の名称
【補正方法】変更
【補正の内容】
【発明の名称】監査証跡管理方法、情報処理装置及び監査証跡管理プログラム
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
顔画像を検出する顔画像検出部と、
所定年齢の人物における顔の第１の陰影パターンと当該所定年齢の人物が加齢した場合の第２の陰影パターンとを複数記憶している記憶部と、
上記顔画像検出部で検出した検出顔画像と上記記憶部に記憶されている第１の陰影パターンとの一致度が所定の類似である場合に、上記第２の陰影パターンと当該検出顔画像とを比較し、当該第２の陰影パターンとの一致度が当該第１の陰影パターンとの一致度よりも高いか否かを判定する判定部と、
上記判定部によって上記第１の陰影パターンとの一致度よりも上記第２の陰影パターンとの一致度が高いと判定された場合に、上記検出顔画像における加齢部位を検出する加齢部位検出部と、
上記加齢部位検出部によって検出された検出部位を補正する補正部と、
を備えたことを特徴とするカメラ。
【請求項２】
上記補正部は、範囲領域内の一番明るい部分、または面積的に大きい部分の明るさに合わせて検出部位を含む領域の明るさが均一となるように補正することを特徴とする請求項１に記載のカメラ。
【請求項３】
上記補正部は、上記検出部位が薄くなるように補正することを特徴とする請求項１に記載のカメラ。
【請求項４】
上記補正部は、上記補正がなされたことを示す補正情報を上記画像に添付することを特徴とする請求項１に記載のカメラ。
【請求項５】
上記補正部は、特定部位のラインを強調したり弱めたりして補正することを特徴とする請求項１に記載のカメラ。
【請求項６】
被写体像の画像データから顔を検出する顔検出部と、
この顔検出部によって検出された顔画像の部位から加齢サインを検出する加齢検出部と、
この加齢検出部によって加齢サインを検出した場合には、上記顔画像を補正する補正部と、
を具備することを特徴とする画像処理装置。
【請求項７】
上記加齢検出部は、上記顔画像と一致度が大の類似するテンプレートまたは画像を検出する類似画像検出部と、
この類似画像検出部によって検出された類似テンプレートまたは画像と組の加齢前テンプレートまたは画像とから加齢部位を検出する加齢部位検出部と、
を有することを特徴とする請求項６に記載の画像処理装置。
【請求項８】
上記補正部は、目尻、唇の端、および頬の輪郭部の少なくとも一つを含む領域の明るさを均一化することを特徴とする請求項６に記載の画像処理装置。
【請求項９】
上記補正部は、コントラストまたは線を太く補正することを特徴とする請求項６に記載の画像処理装置。
【請求項１０】
上記加齢検出部は、加齢前と加齢時の画像またはテンプレートの組み合わせを有していることを特徴とする請求項６に記載の画像処理装置。
【請求項１１】
被写体像を形成するための撮影レンズと、
上記被写体像を光電変換し画像データを取得するための撮像素子と、
上記画像データから顔画像について加齢時の画像またはテンプレートと類似度が高い場合には、加齢部位について、上記顔画像を補正する補正部と、
この補正部によって補正された上記画像を表示する表示部と、
この表示部で表示された上記画像を記録する記録部と、
を具備することを特徴とするカメラ。
【手続補正２】
【補正対象書類名】明細書
【補正対象項目名】０００７
【補正方法】変更
【補正の内容】
【０００７】
上記目的を達成するため第１の発明に係わるカメラは、顔画像を検出する顔画像検出部と、所定年齢の人物における顔の第１の陰影パターンと当該所定年齢の人物が加齢した場合の第２の陰影パターンとを複数記憶している記憶部と、上記顔画像検出部で検出した検出顔画像と上記記憶部に記憶されている第１の陰影パターンとの一致度が所定の類似である場合に、上記第２の陰影パターンと当該検出顔画像とを比較し、当該第２の陰影パターンとの一致度が当該第１の陰影パターンとの一致度よりも高いか否かを判定する判定部と、上記判定部によって上記第１の陰影パターンとの一致度よりも上記第２の陰影パターンとの一致度が高いと判定された場合に、上記検出顔画像における加齢部位を検出する加齢部位検出部と、上記加齢部位検出部によって検出された検出部位を補正する補正部と、を備える。
【手続補正３】
【補正対象書類名】明細書
【補正対象項目名】０００８
【補正方法】変更
【補正の内容】
【０００８】
第２の発明に係わるカメラは、上記第１の発明において、上記補正部は、範囲領域内の一番明るい部分、または面積的に大きい部分の明るさに合わせて検出部位を含む領域の明るさが均一となるように補正する。
また、第３の発明に係わるカメラは、上記第１の発明において、上記補正部は、上記検出部位が薄くなるように補正する。
さらに、第４の発明に係わるカメラは、上記第１の発明において、上記補正部は、上記補正がなされたことを示す補正情報を上記画像に添付する。
さらに、第５の発明に係わるカメラは、上記第１の発明において、上記補正部は、特定部位のラインを強調したり弱めたりして補正する。
【手続補正４】
【補正対象書類名】明細書
【補正対象項目名】０００９
【補正方法】削除
【補正の内容】
【手続補正５】
【補正対象書類名】明細書
【補正対象項目名】００１３
【補正方法】変更
【補正の内容】
【００１３】
本発明によれば、検出した顔画像が加齢後の陰影パターンと一致度が高い場合には、顔画像の特徴部位ごとに修正・補正を行うことのできる画像処理装置およびカメラを提供することができる。
【手続補正６】
【補正対象書類名】明細書
【補正対象項目名】００１５
【補正方法】変更
【補正の内容】
【００１５】
図１は、本発明の第１実施形態に係わるデジタルカメラとその周辺のブロック図である。ユーザーが使用するカメラ１００には、撮影レンズ２、ＡＦ（オートフォーカス）制御部２ａ、絞り２ｂ、絞り制御部２ｃ、撮像素子３、アナログフロントエンド（以下、ＡＦＥと略す）部４が設けられている。撮影レンズ２は、内部にフォーカスレンズを有し、入射した被写体２０の像を撮像素子３上に結像させる。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
細胞へ挿入されることによって当該細胞の細胞膜を穿孔する穿孔手段と、
前記穿孔手段が挿入される前記細胞の周囲に前記細胞に導入される遺伝子を含む液体を吐出し分散させる液体吐出ノズルを有する分散手段と、
前記穿孔手段と前記分散手段との位置関係を固定し、一体的に動作させる固定手段と、
を具備することを特徴とする遺伝子導入装置。
【請求項２】
前記固定手段は、前記分散手段の前記液体吐出ノズルの前記開口から吐出される前記液体が前記穿孔手段の先端よりも鉛直方向上方から降り注ぐ位置に配置された状態で、前記分散手段と前記穿孔手段との前記位置関係を固定することを特徴とする請求項１に記載の遺伝子導入装置。
【請求項３】
前記分散手段が、前記穿孔手段が前記細胞に挿入される前に前記遺伝子を含む前記液体の分散を開始し、前記穿孔手段が前記細胞から引き抜かれた後に前記遺伝子を含む液体の分散を終了するように、前記分散手段と前記穿孔手段の動作を制御する制御回路を有することを特徴とする請求項１に記載の遺伝子導入装置。
【請求項４】
遺伝子が導入される対象の細胞の周囲に当該遺伝子を分散させる工程と、
前記遺伝子が分散されているときに、前記細胞の細胞膜を穿孔する穿孔手段を当該細胞へ挿入する工程と、
を有することを特徴とする遺伝子導入方法。
【手続補正２】
【補正対象書類名】明細書
【補正対象項目名】０００７
【補正方法】変更
【補正の内容】
【０００７】
本発明の遺伝子導入装置の一態様は、
細胞へ挿入されることによって当該細胞の細胞膜を穿孔する穿孔手段と、
前記穿孔手段が挿入される前記細胞の周囲に前記細胞に導入される遺伝子を含む液体を吐出し分散させる液体吐出ノズルを有する分散手段と、
前記穿孔手段と前記分散手段との位置関係を固定し、一体的に動作させる固定手段と、
を具備することを特徴とする。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
複数の発光手段を複数系統備えた発光基板と、該発光基板と別体に設けられた発光制御基板と、を備えた遊技機であって、
前記発光制御基板は、少なくとも、
第１系統から第Ｎ系統までの前記発光手段を点灯又は階調点灯する定電流駆動回路
を備え、
前記発光基板は、少なくとも、
前記第１系統から前記第Ｎ系統までのうちいずれか１つの系統の前記発光手段に流れる電流値と同一の電流を作成し、該作成した電流を、第（Ｎ＋１）以上の系統のうちいずれか１つの系統の前記発光手段に流すカレントミラー回路
を備えることを特徴とする遊技機。
【請求項２】
前記カレントミラー回路は、ペアトランジスタを１つのパッケージに集積した集積回路部品であることを特徴とする請求項１に記載の遊技機。
【手続補正２】
【補正対象書類名】明細書
【補正対象項目名】００１９
【補正方法】変更
【補正の内容】
【００１９】
本発明の請求項１においては、遊技機の仕様が変更されても共通のランプ駆動基板を用いることができる。請求項２においては、カレントミラー回路としてペアトランジスタを１つのパッケージに集積した集積回路部品を用いることによって互いのトランジスタの特性を同特性にすることできる。
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
湯水を供給する水栓と排水口が設けられた洗面ボールとを備える洗面カウンターと共に設置されるミラーキャビネットであって、
金属製の基体と、
前記基体の前方に取り付けられる鏡と、
前記基体の後方に空間を形成するスペーサーとを備えたことを特徴とするミラーキャビネット。
【請求項２】
前記基体はステンレス鋼にて形成され、該基体の表面に着色層を形成していることを特徴とする、請求項１に記載のミラーキャビネット。
【請求項３】
前記着色層は、クロム酸および硫酸を包有する水溶液を用いた電触加工によって形成されることを特徴とする、請求項２に記載のミラーキャビネット。
【請求項４】
前記着色層は、着色フィルムの貼付によって形成されることを特徴とする、請求項２に記載のミラーキャビネット。
【請求項５】
前記基体の対向する２辺を後方に向かって屈曲させたコの字形とすることにより、該基体の屈曲部が前記スペーサーの一部を構成することを特徴とする請求項１記載のミラーキャビネット。
【請求項６】
前記基体は、対向する２辺を後方に向かって２度屈曲させたリップ溝形とすることにより、該基体の屈曲部が前記スペーサーの一部を構成するに形成されることを特徴とする、請求項１に記載のミラーキャビネット。
【手続補正２】
【補正対象書類名】明細書
【補正対象項目名】０００７
【補正方法】変更
【補正の内容】
【０００７】
上記課題を解決するために、本発明にかかるミラーキャビネットの代表的な構成は、湯水を供給する水栓と排水口が設けられた洗面ボールとを備える洗面カウンターと共に設置されるミラーキャビネットであって、金属製の基体と、基体の前方に取り付けられる鏡と、基体の後方に空間を形成するスペーサーとを備えたことを特徴とする。
【手続補正３】
【補正対象書類名】明細書
【補正対象項目名】０００８
【補正方法】変更
【補正の内容】
【０００８】
上記構成によれば、基体を金属にて形成したことにより、合成樹脂の場合に比して強度、耐薬品性、および清掃性を向上し、また金属の素材感に基づく剛性感および硬質感から高級感を得ることができる。
【手続補正４】
【補正対象書類名】明細書
【補正対象項目名】０００９
【補正方法】変更
【補正の内容】
【０００９】
基体はステンレス鋼にて形成され、基体の表面に着色層を形成していることが好ましい。これにより、特に強度、耐薬品性、耐候性、および清掃性を向上させることができる。また素材感に基づく剛性感および硬質感においても、他の金属素材よりも程度の高い高級感を使用者に与えることができる。また、基体表面に着色層を形成していることにより、金属の耐薬品性、清掃性を損なわずに、金属の素材感に基づくさらなる高級感を提供することが可能となる。
【手続補正５】
【補正対象書類名】明細書
【補正対象項目名】００１４
【補正方法】変更
【補正の内容】
【００１４】
基体は、対向する２辺を後方に向かって屈曲させたコの字形とすることにより、基体の屈曲部がスペーサーの一部を構成してもよい。かかる構成によれば、基体の背面側に配線のための空間を設けつつ、基体側面にも金属を露出させることができる。また屈曲加工により基体のたわみに対する剛性が向上するため、板材を用いたとしても鏡などの装備品（支持物）に対して十分な剛性を得ることができる。さらに、壁面との距離を維持するための別途のスペーサーが不要となるため、部材数の削減を図ることができる。
【手続補正６】
【補正対象書類名】明細書
【補正対象項目名】００１５
【補正方法】変更
【補正の内容】
【００１５】
基体は、対向する２辺を後方に向かって２度屈曲させたリップ溝形とすることにより、基体の屈曲部がスペーサーの一部を構成してもよい。かかる構成によれば、基体のたわみに対する剛性をさらに向上させることができる。また壁面に当接する縁が屈曲させた角となるため、外観上の収まりがよい。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
外形が矩形状とされた支持部材と、
該支持部材の上下方向中央から上側に支持され、該支持部材の上下方向中央から半分に分割した大きさと略同じ大きさの表示領域を有し、該表示領域に所定の演出画像を表示可能な演出表示手段と、
該演出表示手段の前記表示領域よりも後側且つ前記演出表示手段よりも下側の位置で前記支持部材に着脱可能に支持され、遊技者の操作によって遊技媒体が打ち込まれる遊技領域を有した遊技盤と、
該遊技盤の前記遊技領域内に配置され、遊技媒体を受入可能とされた受入口と、
該受入口への遊技媒体の受入れに応じて所定数の遊技媒体を払出す払出手段と、
少なくとも障害釘図柄及び受入口図柄を用いて遊技盤面画を前記演出表示手段に表示する盤面画表示手段、及び該盤面画表示手段による前記遊技盤面画上を移動する遊技媒体図柄を前記遊技領域内に打ち込まれた遊技媒体に基づいて表示可能とされ、前記受入口への遊技媒体の受入れに基づいて前記遊技盤面画上の前記受入口図柄へ受入れられる前記遊技媒体図柄を前記演出表示手段に表示する遊技媒体図柄表示手段を有し、少なくとも前記遊技盤面画及び前記遊技媒体図柄が含まれる演出画像の表示を制御可能な演出表示制御手段と
を具備することを特徴とする。
【請求項２】
前記演出表示手段は、所定の演出画像を表示する表示領域の広さが、前記遊技盤の前記遊技領域よりも広く形成されているものである
請求項１に記載の遊技機。
【請求項３】
前記遊技盤は、前記支持部材の左右方向中心よりも右側に偏った位置に前記遊技領域の中央が配置されるように設けられてなる
請求項１または２に記載の遊技機。